(57)【特許請求の範囲】
【請求項１】
隣接する扉体構成桟間にそれぞれ個別伸縮機構を介設することによって該隣接する扉体構成桟を個別伸縮自在とするとともに該隣接する扉体構成桟の個別伸縮を開閉方向所定位置において開閉方向にそれぞれ順次に行なうように規制する伸縮規制手段を備えてガイドレールの案内によって開閉するようにした伸縮扉体であって，上記伸縮規制手段を，各扉体構成桟の長手方向端部に前後一方に向けて突設した開閉案内用ガイドローラーと，該開閉案内用ガイドローラーと同軸に回動自在に軸支することによって上記隣接する扉体構成桟の長手方向端部間に外側に向けてＶ字状屈曲自在に配置した屈伸リンクと，該屈伸リンクの長手方向中央の屈曲部分に上記開閉案内用ガイドローラーと前後交互とするように前後他方に向けて突設した屈伸案内用ガイドローラーと，伸縮扉体の開閉方向全長に亘るようにガイドレールの前後対向面一方に設置した直進ガイドと，該ガイドレールの前後対向面他方に上記直進ガイドに対向して設置した第１直進部，その長手方向所定位置の傾斜部を介してガイドレール幅方向に変位して設置した第２直進部を有するリンクガイドを備えて形成し，上記開閉案内用ガイドローラーをガイドレールの直進ガイドに，屈伸案内用ガイドローラーをガイドレールのリンクガイドにそれぞれ案内して，開閉方向先端から該リンクガイドの第１直進部の間において上記屈伸リンクを伸張進行自在とし且つ該リンクガイドの傾斜部と第２直進部の間において該屈伸リンクを屈曲折畳自在としてなることを特徴とする伸縮扉体の伸縮位置規制装置。
【請求項２】
上記伸縮規制手段を，伸縮扉体の両端部と，該伸縮扉体の両端部の一対のガイドレール間に配置して，上記屈伸リンクの伸張進行と屈曲折畳を伸縮扉体の両端部において行ってなることを特徴とする請求項１に記載の伸縮扉体の伸縮位置規制装置。
【発明の詳細な説明】
【０００１】
【発明の属する技術分野】
本発明は伸縮扉体に関し，特にその伸縮位置規制装置に関する。
【０００２】
【従来の技術】
この種伸縮扉体として，例えば本発明者による特開平１０−８８９３９号が知られている。これによれば隣接する一対の扉体構成桟間に個別伸縮機構を介設することによって該一対の扉体構成桟を伸縮自在にした多数の仕切単位体を構成するとともに，該多数の仕切単位体を折曲自在に連結することによって各仕切単位体のガイドローラーをガイドレールに案内して開閉するように伸縮扉体を構成する一方，例えば各仕切単位体における一対の扉体構成桟の長手方向端部に，その内側に向けてＶ字状に屈曲自在にした一方を長く，他方を短くした長短リンクの組合せにして長寸側のリンク先端に屈曲案内用のガイドローラーを設置したＶ字屈伸リンクを設ける一方，伸縮扉体の開閉方向全長に亘るように設置して開閉方向先端から所定位置までの間において上記各屈曲案内用のガイドローラーを直進案内することによって，各Ｖ字屈伸リンクを突張り状態に維持することによって該各Ｖ字屈伸リンクを内向きＶ字状の拡開状態に拘束し，所定位置で上記屈伸案内用のガイドローラーを順次開放して該Ｖ字屈伸リンクの上記拘束を解除してその突張り状態を解除することによって，仕切単位体の内側に上記Ｖ字屈伸リンクを屈曲折畳状態とする屈曲案内用のガイドレールを備えたものとして，伸縮扉体の個別伸縮位置を規制するようにしたものとされている。
【０００３】
【発明が解決しようとする課題】
この場合，伸縮扉体の仕切単位体はＶ字屈伸リンクによって個別の伸縮を行なうことになるから，伸縮扉体はその仕切単位体を伸張した状態で開閉方向に移動し，所定位置でその伸縮を順次行なうものとなって，開閉に際して人が手を挟まれたりする可能性を可及的に防止して，安全性を確保した縦引き乃至横引きにして，例えばシースルーのシャッター等の伸縮扉体を提供することが可能となるが，Ｖ字屈伸リンクを長短リンクの組合せによるものとして，その長寸のリンクにガイドローラーを設置して，これを直進案内してガイドレールに突張り状態に維持することによって，そのＶ字状の拡開状態の拘束を行なうから，伸縮扉体の開閉が重くなる傾向を生じ，必ずしもスムーズな開閉を常時維持することができなくなったりすることがあり，実用上この点の改良が望まれる。
【０００４】
本発明はかかる事情に鑑みてなされたもので，その課題とするところは，上記安全性を確保しながら，スムーズな開閉を常時維持することができるようにした伸縮扉体の伸縮位置規制装置を提供するにある。
【０００５】
【課題を解決するための手段】
上記課題に添って請求項１に記載の発明は，これを，隣接する扉体構成桟間にそれぞれ個別伸縮機構を介設することによって該隣接する扉体構成桟を個別伸縮自在とするとともに該隣接する扉体構成桟の個別伸縮を開閉方向所定位置において開閉方向にそれぞれ順次に行なうように規制する伸縮規制手段を備えてガイドレールの案内によって開閉するようにした伸縮扉体であって，上記伸縮規制手段を，各扉体構成桟の長手方向端部に前後一方に向けて突設した開閉案内用ガイドローラーと，該開閉案内用ガイドローラーと同軸に回動自在に軸支することによって上記隣接する扉体構成桟の長手方向端部間に外側に向けてＶ字状屈曲自在に配置した屈伸リンクと，該屈伸リンクの長手方向中央の屈曲部分に上記開閉案内用ガイドローラーと前後交互とするように前後他方に向けて突設した屈伸案内用ガイドローラーと，伸縮扉体の開閉方向全長に亘るようにガイドレールの前後対向面一方に設置した直進ガイドと，該ガイドレールの前後対向面他方に上記直進ガイドに対向して設置した第１直進部，その長手方向所定位置の傾斜部を介してガイドレール幅方向に変位して設置した第２直進部を有するリンクガイドを備えて形成し，上記開閉案内用ガイドローラーをガイドレールの直進ガイドに，屈伸案内用ガイドローラーをガイドレールのリンクガイドにそれぞれ案内して，開閉方向先端から該リンクガイドの第１直進部の間において上記屈伸リンクを伸張進行自在とし且つ該リンクガイドの傾斜部と第２直進部の間において該屈伸リンクを屈曲折畳自在としてなることを特徴とする伸縮扉体の伸縮位置規制装置とし，請求項２に記載の発明は，伸縮扉体の更に安定且つ確実な開閉と伸縮位置の規制を行うものとするように，これを，上記伸縮規制手段を，伸縮扉体の両端部と，該伸縮扉体の両端部の一対のガイドレール間に配置して，上記屈伸リンクの伸張進行と屈曲折畳を伸縮扉体の両端部において行ってなることを特徴とする請求項１に記載の伸縮扉体の伸縮位置規制装置とし，これらをそれぞれ発明の要旨として上記課題解決の手段としたものである。
【０００６】
【発明の実施の形態】
以下図面の例に従って本発明を更に具体的に説明すれば，Ａは，ガイドレール５の案内によって開閉するようにした伸縮扉体であり，該伸縮扉体Ａは，隣接する扉体構成桟１間にそれぞれ個別伸縮機構2を介設することによって該隣接する扉体構成桟1を個別伸縮自在とするとともに該隣接する扉体構成桟１の個別伸縮を開閉方向所定位置において開閉方向にそれぞれ順次に行なうように規制する伸縮規制手段３を備えたものとしてある。
【０００７】
即ち本例の伸縮扉体Ａは，例えばアルミ製にして開口部から上端の収納部６に縮小折畳して収納するようにした縦引き用に構成したシースルーにして上下方向（縦方向）の伸縮開閉を行なう縦引きのシャッターとしてあり，多数の扉体構成桟１を開閉方向に平行に配置する一方，隣接する扉体構成桟１間にそれぞれ個別伸縮機構２を介設して，該隣接する扉体構成桟１毎にそれぞれ個別の伸縮を可能としてある。
【０００８】
本例において上記多数の扉体構成桟１は，それぞれ前後に平行一対の桟を用いその長手方向両端部をそれぞれ倒Ｔ字状の連結部材１１によって連結した横長のフレームをなすように形成してあり，個別伸縮機構２は，これらフレームによる扉体構成桟１を開閉方向に連結したものとしてあり，本例において個別伸縮機構２は，これを，隣接する扉体構成桟１にそれぞれ一端を回動自在に固定し，他端をスライド自在に係合することによって隣接する上記扉体構成桟１において伸縮したり起倒したりするように配設した，例えば直線，曲線等の組合せによって装飾要素をなす，例えばＸ字状リンクや単一バーによるバーリンク等によるものとしてあり，該個別伸縮機構２を隣接する扉体構成桟１の長手方向に複数乃至多数配置して，隣接する扉体構成桟１の個別伸縮を安定して行なうように構成してある。
【０００９】
このとき上記個別伸縮機構２は，上記Ｘ字状リンクのものはリンクバーの各一端を隣接する扉体構成桟１にそれぞれ回動自在に軸支固定し，各他端を隣接する扉体構成桟１のスライド溝にローラーを介してそれぞれスライド自在に係合し，必要に応じて交点において回動自在に軸支したものとしてあり，またバーリンクのものは，一端を一方の扉体構成桟１に回動自在に軸支固定し，他端を他方の扉体構成桟１のスライド溝に同様にローラーを介してスライド自在に係合したものとしてある。
【００１０】
伸縮規制手段３は，これを，各扉体構成桟１の長手方向端部に前後一方に向けて突設した開閉案内用ガイドローラー３１と，該開閉案内用ガイドローラー３１と同軸に回動自在に軸支することによって上記隣接する扉体構成桟１の長手方向端部間に外側に向けてＶ字状屈曲自在に配置した屈伸リンク３２と，該屈伸リンク３２の長手方向中央の屈曲部分に上記開閉案内用ガイドローラー３１と前後交互とするように前後他方に向けて突設した屈伸案内用ガイドローラー３４と，伸縮扉体Ａの開閉方向全長に亘るようにガイドレール５の前後対向面一方に設置した直進ガイド５１と，該ガイドレール５の前後対向面他方に上記直進ガイド５１に対向して設置した第１直進部５３，その長手方向所定位置の傾斜部５４を介してガイドレール５幅方向に変位して設置した第２直進部５５を有するリンクガイド５２を備えて形成し，上記開閉案内用ガイドローラー３１をガイドレール５の直進ガイド５１に，屈伸案内用ガイドローラー３４をガイドレール５のリンクガイド５２にそれぞれ案内して，開閉方向先端から該リンクガイド５２の第１直進部５３の間において上記屈伸リンク３２を伸張進行自在とし且つ該リンクガイド５２の傾斜部５４と第２直進部５５の間において該屈伸リンク３２を屈曲折畳自在としたものとしてあり，このとき本例の伸縮規制手段３は，これを，伸縮扉体Ａの両端部と，該伸縮扉体Ａの両端部の一対のガイドレール５間に配置して，上記屈伸リンク３２の伸張進行と屈曲折畳を伸縮扉体Ａの両端部において行ったものとしてある。
【００１１】
本例の開閉案内用ガイドローラー３１は，上記扉体構成桟１における前後に平行一対の桟の長手方向両端部を連結した連結部材１１をガイドレール５側に突出して，該ガイドレール５内に部分的に入り込むようにし，該連結部材１１から前後方向（内外方向）に向けた軸の前後端に，それぞれ扉体構成桟１と平行をなすように回動自在に軸支固定してある。
【００１２】
屈伸リンク３２は，直列に伸長した状態とすることによって隣接する扉体構成桟１の間隔と一致する長さとなる一対にして同長のリンクバー３３を用い，該リンクバー３３の扉体構成桟１側の端部を，上記開閉案内用ガイドローラー３１を軸支した連結部材からの軸に対して同軸に回動自在に軸支する一方，該リンクバー３３の中間側の端部を相互に回動自在に軸支するとともに該軸支を行なった中間の軸に，上記開閉案内用ガイドローラー３１と前後交互となるように，上記連結部材１１における開閉案内用ガイドローラー３１と逆側に向けて突出して屈伸案内用ガイドローラー３４を回動自在に軸支固定し，上記隣接する扉体構成桟１の長手方向両端部間にそれぞれ介設して，それぞれ外側に向けて屈曲自在としてある。
【００１３】
ガイドレール５は直進ガイド５１とリンクガイド５２とを，例えばガイドレール５の内側にして前後の対向面に備えて，それぞれ上記前後に交互の開閉案内用ガイドローラー３１と屈伸案内用ガイドローラー３４を個別に案内するものとしてあり，このとき上記直進ガイド５１は，ガイドレール５の前後後方の内側にその全長に亘って断面Ｃ字状をなすように設置して上記開閉案内用ガイドローラー３１を案内して，伸縮扉体Ａの開閉進行を行なうようにする一方，リンクガイド５２は，例えばガイドレール５の内側にして前後前方の内側に，上記直進ガイド５１と同長となるように，該直進ガイド５１と対向して同じく断面Ｃ字状をなすように設置して上記屈伸案内用ガイドローラー３４を案内し，上記直進ガイド５１によって案内される開閉案内用ガイドローラー３４と相俟って屈伸リンク３２を直進の伸長状態として上記開閉進行を行うとともに屈伸リンク３２の屈曲折畳を行うようにして，伸縮扉体Ａの伸縮規制を行なうものとしてあり，このときリンクガイド５２の第１直進部５３は，開口方向先端から所定位置，即ち本例にあっては開口面下端位置から収納部６近傍の開口面上端位置までの間において上記直進ガイド５１と対向してこれと平行のものとし，傾斜部５４は，該所定位置の開口面上端位置において第１直進部５３の直進案内部５３の延長線上から傾斜分岐して外側，本例にあっては伸縮扉体Ａの側方に向かうものとし，第２直進部５５は，該傾斜部５４から再度上記直進ガイド５１に平行な収納部６内のものとしてあり，上記傾斜部５４を介して第１直進部５３及び第２直進部５５を内外，即ちガイドレール５内において伸縮扉体Ａの幅方向に変位して配置したものとしてあり，このとき第１直進部５３を直進ガイド５１と対向する幅方向に同一の位置とするも，第２直進部５５の偏位幅，即ち直進ガイド５１との離隔間隔を，上記屈伸リンク３２の１／２長さの上記開閉案内用ガイドローラー３１と屈伸案内用ガイドローラー３４との間隔長さとするようにしてある。
【００１４】
直進ガイド５１による開閉案内用ガイドローラー３１とリンクガイド５２，とくにその第１直進部５３による屈伸案内用ガイドローラー３４の案内によって屈伸リンク３２は直列の伸長状態となるとともにこの状態に拘束されて，隣接する扉体構成桟１及びその長手方向複数の個別伸縮機構２を伸長状態に維持して，伸縮扉体Ａの開閉進行を行なう一方，上記開閉案内用ガイドローラー３１の直進ガイド５１による直進案内とリンクガイド５２，特にその傾斜ガイド５４と第２直進部５５による屈伸案内用ガイドローラー３４の案内によって屈伸リンク３２は，その上記直列の伸長状態が解除され，リンクガイド５２による屈伸リンク３２中間位置における屈伸案内用ガイドローラー３４の引き寄せによって，これが屈曲折畳状態となり，伸縮扉体Ａの長手方向複数の個別伸縮機構２がそれぞれ伸縮可能の状態となって，その収縮を行なう結果，隣接する扉体構成桟１が縮小折畳を行なうことになる。
【００１５】
従って本例の伸縮規制手段３は，伸縮扉体Ａの開成に際して，伸縮扉体Ａを伸長状態で開成方向に進行させ，個別伸縮機構２を使用しながら，これに手を掛ける等しても，扉体構成桟１や伸縮機構に手を挟まれる可能性を解消する一方，開口面上端乃至収納部６の所定位置における扉体構成桟１の順次の縮小折畳を行なうことができ，また閉成に際して，これとは逆に該所定位置における伸縮扉体Ａの拡大伸長と伸長状態での閉成方向の進行を行なうことができ，その伸縮規制を好適に行なうものとなる。
【００１６】
図中５６は，リンクガイド５２の第１の直進案内部５３上端を画し，屈曲案内用ガイドローラー３４を傾斜ガイド５４に誘導するように設置した案内ブロック，５７は傾斜ガイド５４を後付形成するようにガイドレール５に固定したガイドプレート，５８は第２の直進案内部５５下端を画し，同じく屈曲案内用ガイドローラー３４を傾斜ガイド５４に誘導するように設置した案内ブロック，６２は，伸縮扉体Ａを収納部６に収納可能とするようにガイドレール５間に架設した上枠６１に伸縮扉体Ａを支持し，定位置までこれを降下させる伸縮リンク，６３は収納部６の背面側を被覆するようにガイドレール５上端部に設置したシャッターケース，７は下端のエンドスラットに一端を固定し，伸縮扉体を吊り持ちすることによってその開閉を容易化する他端にバランサー７１を備えたワイヤー，７２はバランサー７１のケース，７３は上記ワイヤー７の方向転換用ガイドローラーをそれぞれ示す。
【００１７】
図示した例は以上のとおりとしたが，上記縦引きのシャッターに代えて，伸縮扉体を，左右方向（幅方向）に伸縮開閉するようにした横引きのシャッターとすること，このとき上記例の伸縮扉体とガイドレール及びこれらの関係を９０度回転するように向きを倒して，上下にガイドレールを位置し伸縮扉体を上吊りすることによって左右方向に開閉するものとすること，横引きの伸縮扉体とするとき，隣接する扉体構成桟の上端側に屈伸リンクを設置するとともに，上方のガイドレールとの間に伸縮規制手段を設置するようにし，下方のガイドレールによって扉体構成桟下端に設置した振れ止めローラーを案内するようにして，上方片側にして扉体構成桟長手方向一方の伸縮規制手段によって伸縮扉体の伸縮規制を行なうものとして構成すること，扉体構成桟を上記フレームのものに代えて，単一の桟を用いたものとすること，上記個別伸縮機構を，隣接する扉体構成桟にそれぞれ一端を回動自在に固定し又はスライド自在に係合した複数のリンクバーと，該各リンクバーの他端を回動自在に固定する中間連結部を備えた中間連結部付きＸ字状の伸縮リンクによって構成するようにすること，このとき中間連結部を２分割し，分割部分でヒンジ連結する等することによって，個別伸縮機構を隣接する扉体構成桟間で開口面の交差方向に折曲自在に構成するとともに，上記ガイドレールを開口面から交差方向に向けてＬ字状に形成し，そのリンクガイド，特に傾斜ガイド又は第２の直進案内部を開口面の端部近傍から交差方向に向けて配置することによって，伸縮扉体を開口面の端部近傍で伸縮して交差方向に収納自在とするように構成すること，伸縮扉体を電動開閉するものとすること等を含めて，本発明の実施にあたって，伸縮扉体，扉体構成桟，個別伸縮機構，伸縮規制手段，開閉案内用ガイドローラー，屈伸リンク，屈伸案内用ガイドローラー，ガイドレール，直進ガイド，リンクガイド等の各具体的材質，形状，構造，これらの関係，これらに対する付加等は，上記発明の要旨に反しない限り，様々の形態のものとすることができる。
【００１８】
【発明の効果】
本発明は以上のとおりに構成したから，請求項１に記載の発明は，扉体構成桟に開閉案内用ガイドローラーを，隣接する扉体構成桟間に該ガイドローラーと同軸に軸支した屈伸リンクを，屈伸リンクの長手方向中央の屈曲部分に屈伸案内用ガイドローラーを配置し，ガイドレールの前後対向面一方に設置した直進ガイドによって開閉案内用ガイドローラーを，ガイドレールの前後対向面他方に設置したリンクガイドの第１直進部によって屈伸案内用ガイドローラーを案内して，屈伸リンクを直列の伸長状態に維持した状態で伸縮扉体を開閉するとともに屈伸案内用ガイドローラーを長手方向所定位置の傾斜部と第２直進部に案内することによって屈伸リンクを屈曲して折畳むようにしたから，伸縮扉体とガイドレールとの間に過大な突張り力の如くに伸縮扉体のスムーズな開閉を妨げる力が作用することもなく，伸縮扉体の開閉をスムーズ且つ確実に行うことが可能となるとともに伸縮扉体は開閉方向先端から第１直進部の間で折畳まれることがないから，個別伸縮自在の伸縮扉体が有する開閉に際して手を挟まれたりする可能性を可及的に防止し，この種の伸縮扉体における開閉の安全性を確保した伸縮扉体の伸縮位置規制装置を提供することができる。また請求項２に記載の発明は，伸縮規制手段を，伸縮扉体の両端部と，該伸縮扉体の両端部の一対のガイドレール間に配置して，上記屈伸リンクの伸張進行と屈曲折畳を伸縮扉体の両端部において行ったものとすることにより，扉体構成桟が捻じれたりすることもなく，伸縮扉体の開閉と伸縮位置の規制を更に安定且つ確実に行なうものとすることができる。
【図面の簡単な説明】
【図１】  伸縮扉体の正面図である。
【図２】  伸縮扉体の縦断面図である。
【図３】  伸縮扉体の折畳状態を示す部分縦断面図である。
【図４】  伸縮扉体の伸長進行状態を示す部分横断面図である。
【図５】  伸縮扉体の収縮状態を示す部分横断面図である。
【図６】  伸縮規制手段の要部を示す部分縦断面図である。
【符号の説明】
Ａ  伸縮扉体
１  扉体構成桟
２  個別伸縮機構
３  伸縮規制手段
３１  開閉案内用ガイドローラー
３２  屈伸リンク
３４  屈伸案内用ガイドローラー
５  ガイドレール
５１  直進ガイド
５２  リンクガイド
【図１】
0004105823.tif 000002
【図２】
0004105823.tif 000003
【図３】
0004105823.tif 000004
【図４】
0004105823.tif 000005
【図５】
0004105823.tif 000006
【図６】
0004105823.tif 000007